(57)【要約】      （修正有）【課題】保線作業時の日除けや雨除けとして最適で、かつ、レールのカントについても考慮したパラソル支持具を提供する。【解決手段】レール２に着脱可能に取付けられるレール取付け部１１と、そのレール取付け部１１に対しパラソル３の基端部が回動可能に取付けられるパラソル支持部１２とを有し、そのパラソル支持部１２には、回動可能に取付けられたパラソル３の角度を調整して固定可能な角度調整固定ネジ１１ａ，１１ａが設けられている。【選択図】図１３
0003194672.tif 000002
【実用新案登録請求の範囲】
【請求項１】
鉄道のレールの上にパラソルを立てるためのパラソル支持具であって、
レールに着脱可能に取付けられるレール取付け部と、
そのレール取付け部に対しパラソルの基端部を支持するパラソル支持具とを有し、
前記レール取付け部は、前記パラソル支持具を回動可能に支持すると共に、前記パラソル支持具の角度を調整して固定可能な角度調整固定手段を有することを特徴とするパラソル支持具。
【請求項２】
請求項１記載のパラソル支持具において、
前記レール取付け部は、
前記パラソル支持具が固定され、レールの一方側からレールを押える固定側レール取付け部と、
その固定側レール取付け部に回動可能に取付けられ、レールの他方側からレールを押える可動側レール取付け部とから構成され、
前記固定側レール取付け部の前後両端部には、それぞれ、レールの上を走行する車輪が設けられていることを特徴とするパラソル支持具。
【請求項３】
請求項２記載のパラソル支持具において、
前記固定側レール取付け部と前記可動側レール取付け部の先端部には、それぞれ、レールの外側または内側に接触して回転するローラーが偏芯軸を介して取付けられていることを特徴とするパラソル支持具。
【考案の詳細な説明】
【技術分野】
【０００１】
本考案は、鉄道のレールの上に大きな傘やパラソル（以下、パラソルと総称する。）を設置するためのパラソル支持具に関する。
【背景技術】
【０００２】
保線作業は、夜間だけでなく、昼間や降雨時でも行うが、その際、パラソルをレールに取付けることが要望されることが多い。しかしながら、現在のところ、鉄道のレール専用のパラソル支持具は提案されてなく、レジャー用やガーデン用のパラソル支持部具を使用したり（例えば、特許文献１参照。）、作業員が手で持ったりして使用している。
【先行技術文献】
【特許文献】
【０００３】
【特許文献１】特開平07-016111号公報
【考案の概要】
【考案が解決しようとする課題】
【０００４】
しかしながら、前記特許文献１に記載のパラソル支持具等では、レールへの取付けを前提にしていないため、保線作業時の日除けや雨除け用のパラソル支持具として適さない。
【０００５】
また、レールの場合、カーブ部分には通常カントと呼ばれる傾斜を設けるが、前記特許文献１に記載のパラソル支持具等では、レールのカントについては全く考慮されていない。
【０００６】
そこで、本考案はこのような問題点に鑑みなされたもので、保線作業時の日除けや雨除けとして最適で、かつ、レールのカントについても考慮したパラソル支持具を提供することを目的とする。
【課題を解決するための手段】
【０００７】
前記課題を解決するため、本考案に係るパラソル支持具は、鉄道のレールの上にパラソルを立てるためのパラソル支持具であって、レールに着脱可能に取付けられるレール取付け部と、そのレール取付け部に対しパラソルの基端部を支持するパラソル支持具とを有し、前記レール取付け部は、前記パラソル支持具を回動可能に支持すると共に、前記パラソル支持具の角度を調整して固定可能な角度調整固定手段を有することを特徴とする。
ここで、前記レール取付け部は、前記パラソル支持具が固定され、レールの一方側からレールを押える固定側レール取付け部と、その固定側レール取付け部に回動可能に取付けられ、レールの他方側からレールを押える可動側レール取付け部とから構成され、前記固定側レール取付け部の前後両端部には、それぞれ、レールの上を走行する車輪が設けられていると良い。
また、前記固定側レール取付け部と前記可動側レール取付け部の先端部には、それぞれ、レールの外側または内側に接触して回転するローラーが偏芯軸を介して取付けられているとさらに良い。
【考案の効果】
【０００８】
本考案に係るパラソル支持具によれば、レール取付け部とパラソル支持具とを有し、レール取付け部はパラソル支持具を回動可能に支持すると共に、パラソル支持具の角度を調整して固定可能な角度調整固定手段を有するため、保線作業時の日除けや雨除けとして最適である。また、レールのカーブ部分においてカントがあったり、パラソルの角度を変更したい場合には、角度調整固定手段によりパラソルの角度を調整して固定することができる。
【図面の簡単な説明】
【０００９】
【図１】レールに本考案に係るパラソル支持具を装着し、パラソルを設置した状態を示す図である。
【図２】レールに設定した状態の本考案に係るパラソル支持具の正面図である。
【図３】レールに設定した状態の本考案に係るパラソル支持具の右側面図である。
【図４】レールに設定した状態の本考案に係るパラソル支持具の平面図である。
【図５】図３におけるＡ−Ａ線断面図である。
【図６】本考案に係るパラソル支持具を構成する固定側レール取付け部の正面図である。
【図７】本考案に係るパラソル支持具を構成する固定側レール取付け部の平面図である。
【図８】（ａ），（ｂ）それぞれ本考案に係るパラソル支持具を構成する固定側レール取付け部の右側面図、左側面図である。
【図９】（ａ），（ｂ）それぞれ本考案に係るパラソル支持具を構成するローラーの正面図、右側面図である。
【図１０】（ａ），（ｂ）それぞれ本考案に係るパラソル支持具を構成する可動側レール取付け部の正面図、左側面図である。
【図１１】（ａ）〜（ｃ）それぞれ本考案に係るパラソル支持具を構成するパラソル支持具の平面図、正面図、側面図である。
【図１２】本考案に係るパラソル支持具をレールに取付ける際、可動側レール取付け部を開いた状態を示す正面図である。
【図１３】カントを設けたレールに本考案に係るパラソル支持具を装着した際にパラソルの角度を調整した状態の一例を示す正面図である。
【図１４】カントを設けたレールに本考案に係るパラソル支持具を装着した際にパラソルの角度を調整した状態の他の例を示す正面図である。
【考案を実施するための形態】
【００１０】
次に、本考案に係るパラソル支持具の実施の形態について説明する。
【００１１】
この考案に係るパラソル支持具１は、図１に示すように鉄道のレール２の上にパラソル３を立てるための支持具で、レール取付け部１１と、パラソル支持部１２とを備える。
【００１２】
レール取付け部１１は、図２〜図５に示すように、レール２に着脱可能に取付けられると共に、パラソル支持部１２を回動可能に支持するもので、パラソル３の角度を調整して固定可能な角度調整固定ネジ１１ａ，１１ａと、レール２の一方側からレール２を押える固定側レール取付け部１１ｂ（図６〜図９参照。）と、その固定側レール取付け部１１ｂに回動可能に取付けられ、レール２の他方側からレール２を押える可動側レール取付け部１１ｃ（図１０参照。）とを有する。
【００１３】
角度調整固定ネジ１１ａ，１１ａは、図２や図４等に示すようにパラソル支持部１２を挟んで対向するように設けられるもので、角度調整固定ネジ１１ａ，１１ａそれぞれの先端部でパラソル支持部１２を挟むことにより、レール取付け部１１に回動可能に支持されたパラソル支持部１２、すなわちパラソル３の角度を調整して固定する。
【００１４】
固定側レール取付け部１１ｂの上端部には、図６等に示すように、パラソル支持部１２および可動側レール取付け部１１ｃそれぞれをそれらの基端部に第１連結ボルト１３ａおよびナット１３ｂを貫通させて回動可能に支持するためのボルト孔１１ｂ１１と、可動側レール取付け部１１ｃをロックするためのロック孔１１ｂ１２とを設けた回動可能支持部１１ｂ２を有する。
【００１５】
また、固定側レール取付け部１１ｂの前後両端部には、図３や図４等に示すように、それぞれ、レール２の上を走行する車輪１１ｂ３，１１ｂ３が設けられていると共に、その中央には、図６〜図８等に示すように角度調整固定ネジ１１ａ，１１ａのネジ部１１ａ１，１１ａ１が螺合する角度調整固定ネジ支持部１１ｂ４，１１ｂ４が設けられている。
【００１６】
さらに、固定側レール取付け部１１ｂの下端部には、図２や図３、図５等に示すように、レール２の両側の腹部やアゴ部等に当接して回転するローラー１５ａの偏芯軸１５ｂ（図９（ａ），（ｂ）参照。）が取付けられるボルト孔１１ｂ５（図９（ａ），（ｂ）参照。）が設けられている。
【００１７】
可動側レール取付け部１１ｃは、図１０（ａ），（ｂ）に示すように、固定側レール取付け部１１ｂの上端部にパラソル支持部１２と共に回動可能に支持されるもので、ほぼＬ字形状の鋼材等から構成され、上端部には連結ボルト１３ａが挿入されるボルト孔１１ｃ１が設けられている一方、中間部には連結ボルト１４ａが挿入されるロック孔１１ｃ２が設けられ、下端部には、図９（ａ），（ｂ）に示すようなローラー１５ａの偏芯軸１５ｂ（図９（ａ），（ｂ）参照。）が挿入されるボルト孔１１ｃ３が設けられている。
【００１８】
パラソル支持部１２は、パラソル３のポール３ａが挿入されるもので、図１１（ａ）〜（ｃ）に示すように、筒状のパイプ等から構成されており、上端部には、挿入されたパラソル３のポール３ａの基端部を固定する固定ボルト等が挿入されるポール固定孔１２ａが設けられている一方、下端部には、図２〜図５等に示すように第１連結ボルト１３ａが挿入される回動中心ボルト孔１２ｂが設けられている。
【００１９】
次に以上のように構成されたパラソル支持具１の使用方法について説明する。
【００２０】
まず、このパラソル支持具１をレール２にセットする場合、図１２に示すように、固定側レール取付け部１１ｂに対し可動側レール取付け部１１ｃを開いておき、固定側レール取付け部１１ｂをレール２の頭部にセットした後、第１連結ボルト１３ａを中心に可動側レール取付け部１１ｃを回動して降ろし、固定側レール取付け部１１ｂのローラー１５ａと、可動側レール取付け部１１ｃのローラー１５ａとでレール２を両側から挟む。
【００２１】
すると、固定側レール取付け部１１ｂのロック孔１１ｂ１２と、可動側レール取付け部１１ｃのロック孔１１ｃ２とが合うため、図２〜図５等に示すように、それらのロック孔１１ｂ１２,１１ｃ２へ連結ボルト１４ａを挿入してナット１４ｂにより締結する。
【００２２】
ここで、このパラソル支持具１では、固定側レール取付け部１１ｂのローラー１５ａと、可動側レール取付け部１１ｃのローラー１５ａとがそれぞれ偏芯軸１５ｂを介して取付けられており、それぞれ偏芯軸１５ｂを介して回転させることによりローラー１５ａの高さや位置を変えることにより、レール２の大きさが変更した場合でも、簡単に対応して確実にレール２に固定することができる。
【００２３】
そして、パラソル３をセットすべき箇所に到達すると、その箇所のレール２の傾きや、設定したいパラソル３のポール３ａの所望の角度に合わせて、角度調整固定ネジ１１ａ，１１ａを緊結してパラソル支持部１２の角度を調整しながらレール取付け部１１に固定する。
【００２４】
パラソル支持部１２をレール取付け部１１に固定すると、図１に示すようにパラソル３のポール部３ａをこのパラソル支持具１のパラソル支持部１２に挿入すると共に、パラソル支持部１２上部のポール固定孔１２ａにボルトやピン等の固定部材を挿入して、このパラソル支持具１にパラソル３をセットする。
【００２５】
その際、パラソル３の重量がパラソル支持部１２にかかるので、必要あれば、角度調整固定ネジ１１ａ，１１ａの増し締めを行う。
【００２６】
そして、パラソル支持具１を介してレール２に設定したパラソル３の位置を変える場合、レール取付け部１１にはレール２の上を走行する車輪１１ｂ３，１１ｂ３と、レール２の両側に当接して回転するローラー１５ｂ，１５ｂが設けられているため、パラソル３を装着したままのパラソル支持具１を作業員が押すことによりレール２の上を走行させて移動させることができる。そのため、パラソル３を移動する際にとても便利である。
【００２７】
従って、このパラソル支持具１では、レール取り付け部１１とパラソル支持部１２とか構成され、レール取り付け部１１は固定側レール取り付け部１１ｂと可動側レール取り付け部１１ｃとにより簡単にレール２に固定可能に構成したため、保線作業時の日除けや雨除けとして最適なパラソル支持具１を提供することができる。
【００２８】
特に、固定側レール取り付け部１１ｂの前後両端部には、それぞれ、レール２の上を走行する車輪１１ｂ３，１１ｂ３と、レール２の両側に当接して回転するローラー１５ｂ，１５ｂを設けたため、パラソル支持具１をレール２に装着した後も移動が簡単となり、この点でも、鉄道の保線作業時の日除けや雨除けとして最適なパラソル支持具１を提供することができる。
【００２９】
また、レール２のカーブ（曲線）部分等において、レール２にカントが設けられ、鉛直方向に対し傾いた場合、レール２に固定されたレール取付け部１１は、図１３や図１４に示すように鉛直方向に対し傾くことになるが、このパラソル支持具１では、パラソル支持部１２はレール取付け部１１に対し第１連結ボルト１３ａおよびナット１３ｂを介して回動可能に取付けられているため、パラソル支持部１２基端部両側の角度調整固定ネジ１１ａ，１１ａを緩めて再度緊結することにより、パラソル支持部１２を鉛直方向にセットすることができる。
【００３０】
その結果、レール２のカーブ（曲線）部分等においてレール２にカントが設けられていても、パラソル３を鉛直方向にセットすることができる共に、レール２のカントにかかわらずポール３ａの角度を自由に設定してパラソル３をセットすることもできる。
【符号の説明】
【００３１】
１  パラソル支持具
１１  レール取付け部
１１ａ，１１ａ  角度調整固定ネジ（角度調整固定手段）
１１ｂ  固定側レール取付け部
１１ｂ１１  ボルト孔
１１ｂ１２  ロック孔
１１ｂ３，１１ｂ３  車輪
１１ｂ４，１１ｂ４  角度調整固定ネジ支持部
１１ｃ  可動側レール取付け部
１１ｃ１  ボルト孔
１１ｃ２  ロック孔
１１ｃ３  ボルト孔
１２  パラソル支持具
１２ａ  ポール固定孔
１２ｂ  回動中心ボルト孔
１５ａ  ローラー
１５ｂ  偏芯軸
２  レール
３  パラソル
３ａ  ポール
【図１】
0003194672.tif 000003
【図２】
0003194672.tif 000004
【図３】
0003194672.tif 000005
【図４】
0003194672.tif 000006
【図５】
0003194672.tif 000007
【図６】
0003194672.tif 000008
【図７】
0003194672.tif 000009
【図８】
0003194672.tif 000010
【図９】
0003194672.tif 000011
【図１０】
0003194672.tif 000012
【図１１】
0003194672.tif 000013
【図１２】
0003194672.tif 000014
【図１３】
0003194672.tif 000015
【図１４】
0003194672.tif 000016